(57)【要約】【課題】ＰＩＮダイオード１８〜２１のオンオフに伴う信号レベル変動の回避を、使用部品点数を増大させず、複雑な構成させずに、電力消費の増大や製造コストの上昇を抑えた状態で達成可能な信号切替回路を提供すること。【解決手段】第１及び第２入力端子２１  、２２  と第１及び第２出力端子３１  、３２  間に各々オンオフ制御されるＰＩＮダイオード１８〜２１を、各ＰＩＮダイオード１８〜２１と接地間に整合抵抗１０１  〜１３１  とＰＩＮダイオード１０２  〜１３２  を直列接続した整合回路１０〜１３を各々接続し、ＰＩＮダイオード１８〜２１のオン時に入力端子２１  、２２  と出力端子３１  、３２  間に信号伝送経路を形成し、ＰＩＮダイオード１８〜２１のオフ時に対応するＰＩＮダイオード１０２  〜１３２  をオンして整合抵抗１０１  〜１３１  を接続し、オフしたＰＩＮダイオード１８〜２１によるオンしたＰＩＮダイオード１８〜２１の出力インピーダンス変化を少なくしている。【選択図】        図１
2004289415.tif 000002
【特許請求の範囲】
【請求項１】
第１入力信号が入力される第１入力端子と、第２入力信号が入力される第２入力端子と、第１出力信号を出力する第１出力端子と、第２出力信号を出力する第２出力端子と、入力端が前記第１入力端子に接続され、第１及び第２出力端から前記第１入力信号が分配出力される第１抵抗分配器と、入力端が前記第２入力端子に接続され、第１及び第２出力端から前記第２入力信号が分配出力される第２抵抗分配器と、前記第１抵抗分配器の第１出力端と前記第１出力端子間、その第２出力端と前記第２出力端子間、前記第２抵抗分配器の第２出力端と前記第１出力端子間、その第２出力端と前記第２出力端子間にそれぞれ接続される第１乃至第４高周波スイッチング素子と、前記第１抵抗分配器の第１及び第２出力端と接地間及び前記第２抵抗分配器の第１及び第２出力端と接地間にそれぞれ接続され、第５乃至第８高周波スイッチング素子によって整合抵抗の接続非接続が選択される整合回路と、前記第１乃至第８高周波スイッチング素子を選択的にオンオフするスイッチング制御部とを備え、オンになった高周波スイッチング素子を通して前記第１入力信号または前記第２入力信号が前記第１出力端子及び／または前記第２出力端子にそれぞれ前記第１出力信号及び／または前記第２出力信号として供給されることを特徴とする信号切替回路。
【請求項２】
前記スイッチング制御部は、前記第１乃至第４高周波スイッチング素子をオンに設定したとき、オンになった前記第１乃至第４高周波スイッチング素子に対応接続された前記第５乃至第８高周波スイッチング素子をオフに設定し、前記第１乃至第４高周波スイッチング素子をオフに設定したとき、オフになった前記第１乃至第４高周波スイッチング素子に対応接続された第５乃至第８高周波スイッチング素子をオンに設定していることを特徴とする請求項１に記載の信号切替回路。
【請求項３】
前記スイッチング制御部は、前記第１乃至第８高周波スイッチング素子をオンオフする際に、前記第１高周波スイッチング素子と前記第６高周波スイッチング素子とを第１制御回路により同時にオンオフし、前記第２高周波スイッチング素子と前記第５高周波スイッチング素子とを第２制御回路により同時にオンオフし、前記第３高周波スイッチング素子と前記第８高周波スイッチング素子とを第３制御回路により同時にオンオフし、前記第４高周波スイッチング素子と前記第７高周波スイッチング素子とを第４制御回路により同時にオンオフしていることを特徴とする請求項１に記載の信号切替回路。
【請求項４】
前記第１乃至第８高周波スイッチング素子は、ＰＩＮダイオードであることを特徴とする請求項１乃至３のいずれかに記載の信号切替回路。
【請求項５】
前記第１入力信号及び前記第２入力信号は、受信した衛星放送信号における左旋回の円偏波信号及び右信号旋回の円偏波信号を表す中間周波信号であることを特徴とする請求項１乃至４のいずれかに記載の信号切替回路。
【請求項６】
前記第１入力信号及び前記第２入力信号は、受信した衛星放送信号における水平偏波信号及び垂直偏波信号を表す中間周波信号であることを特徴とする請求項１乃至４のいずれかに記載の信号切替回路。
【発明の詳細な説明】
【０００１】
【発明の属する技術分野】
本発明は、信号切替回路に係り、例えば、衛星放送信号で受信した左旋回及び右信号旋回の各円偏波信号を２つの出力端子に選択的に出力する、衛星放送受信用屋外コンバータに用いて好適な信号切替回路に関する。
【０００２】
【従来の技術】
一般に、衛星放送受信用屋外コンバータは、放送衛星から送信される１２ＧＨｚ帯の周波数の衛星放送信号を受信するもので、代表的なものとしては、特開２００２−１７１１８６号に開示された構成のものが知られている。
【０００３】
ここで、図３は、このような既知の衛星放送受信用屋外コンバータにおける主要構成部分を示すブロック図である。
【０００４】
図３に示されるように、この衛星放送受信用屋外コンバータは、受信された衛星放送信号における左旋回の円偏波信号（以下、これを第１信号という）が供給される第１入力端子４１と、同じく右旋回の円偏波信号（以下、これを第２信号という）が入力される第２入力端子４２と、第１信号を低雑音増幅する第１低雑音増幅器４３と、第２入力を低雑音増幅する第２低雑音増幅器４４と、第１信号中の不要成分を除去する第１バンドパスフィルタ４５と、第２信号中の不要成分を除去する第２バンドパスフィルタ４６と、第１信号と局部発振信号とを周波数混合する第１周波数混合器４７と、第２信号と局部発振信号とを周波数混合する第２周波数混合器４８と、局部発振信号を発生する局部発振器４９と、局部発振信号を分配する分配器５０と、第１周波数混合器４７の出力から略１ＧＨｚの第１中間周波信号を抽出増幅する第１中間周波増幅器５１と、第２周波数混合器４８の出力から略１ＧＨｚの第２中間周波信号を抽出増幅する第２中間周波増幅器５２と、第１中間周波信号が供給される第１入力端５３１  及び第２中間周波信号が供給される第２入力端５３２  と、第１出力端５４１  及び第２出力端５４２  との間の信号伝送経路を選択的に切替接続する信号切替回路５５と、第１出力端５４１  に得られた中間周波信号を増幅し、第１出力端子５８に供給する第１出力増幅器５６と、第２出力端５４２  に得られた中間周波信号を増幅し、第２出力端子５９に供給する第２出力増幅器５７とからなっている。
【０００５】
なお、図３には、特に図示していないが、信号切替回路５５にスイッチング制御部が接続されており、このスイッチング制御部の制御により信号切替回路５５の信号伝送経路が選択的に切替接続する。
【０００６】
前記構成による衛星放送受信用屋外コンバータは、次のように動作する。
【０００７】
第１入力端子４１に供給された第１信号は、第１低雑音増幅器４３で低雑音増幅され、第１バンドパスフィルタ４５で不要成分が除去され、第１周波数混合器４７に供給される。また、第２入力端子４２に供給された第２信号は、第２低雑音増幅器４４で低雑音増幅され、第２バンドパスフィルタ４６で不要成分が除去され、第２周波数混合器４８に供給される。第１周波数混合器４７は、第１信号と局部発振器４９から分配器５０を通して供給された局部発振信号とを周波数混合し、周波数混合信号を形成する。第１中間周波増幅器５１は、この周波数混合信号の中から第１中間周波信号を抽出増幅して信号切替回路５５の第１入力端５３１  に供給する。同様に、第２周波数混合器４８は、第２信号と局部発振器４９から分配器５０を通して供給された局部発振信号とを周波数混合し、周波数混合信号を形成する。第２中間周波増幅器５２は、この周波数混合信号から第２中間周波信号を抽出増幅して信号切替回路５５の第２入力端５３２  に供給する。
【０００８】
信号切替回路５５は、スイッチング制御部の制御によりその信号伝送経路が種々の状態に切替え接続される。例えば、第１入力端５３１  と第１出力端５４１  とを接続し、第２入力端５３２  と第２出力端５４２  とを接続するように信号伝送経路を切替接続すると、第１中間周波信号は、第１入力端５３１  から第１出力端５４１  に伝送された後、第１出力増幅器５６で増幅されて第１出力端子５８に供給され、第２中間周波信号は、第２入力端５３２  から第２出力端５４２  に伝送された後、第２出力増幅器５７で増幅されて第２出力端子５９に供給される。
【０００９】
また、第１入力端５３１  と第２出力端５４２  とを接続し、第２入力端５３２  と第１出力端５４１  とを接続するように信号伝送経路を切替接続すると、第１中間周波信号は、第１入力端５３１  から第２出力端５４１  に伝送された後、第２出力増幅器５７で増幅されて第２出力端子５９に供給され、第２中間周波信号は、第２入力端５３２  から第１出力端５４１  に伝送された後、第１出力増幅器５６で増幅されて第１出力端子５８に供給される。
【００１０】
さらに、第１入力端５３１  と第１出力端５４１  とを接続し、第２入力端５３２  と第１出力端５４１  とを接続するように信号伝送経路を切替接続すると、第１中間周波信号及び第２中間周波信号は、ともに第１出力増幅器５６で増幅されて第１出力端子５８に供給される。
【００１１】
また、第１入力端５３１  と第２出力端５４２  とを接続し、かつ第２入力端５３２  と第２出力端５４２  とを接続するように信号伝送経路を切替接続すると、第１中間周波信号及び第２中間周波信号は、ともに第２出力増幅器５７で増幅されて第２出力端子５９に供給される。
【００１２】
このように、信号伝送経路を適宜切替接続すると、その接続状態に対応して第１中間周波信号及び／または第２中間周波信号が、第１出力端子５８及び／または第２の出力端子５９から出力されたり、出力されない状態に適宜選択することができる。
【００１３】
次に、図４は、前記既知の衛星放送受信用屋外コンバータに用いられる信号切替回路５５の具体的構成の一例を示す回路図であって、図３に示された構成要素と同じ構成要素については同じ符号を付けている。
【００１４】
図４に示されるように、この信号切替回路５５は、２個の抵抗６１１  、６１２  からなる第１分配器６１と、２個の抵抗６２１  、６２２  からなる第２分配器６２と、３個の抵抗６３１  、６３２  、６３３  からなる第１抵抗減衰器６３と、３個の抵抗６４１  、６４２  、６４３  からなる第２抵抗減衰器６４と、３個の抵抗６５１  、６５２  、６５３  からなる第３抵抗減衰器６５と、３個の抵抗６６１  、６６２  、６６３  からなる第４抵抗減衰器６６と、第１乃至第４結合コンデンサ６７乃至７０と、第１乃至第４高周波スイッチング素子（好ましくはＰＩＮダイオード）７１乃至７４と、第５乃至第８結合コンデンサ７５乃至７８と、スイッチング制御部７９とからなり、これらの各素子６１乃至７９は、図４に図示されるように相互接続されている。
【００１５】
そして、この信号切替回路５５においては、スイッチング制御部７９の制御により、例えば、第１及び第４高周波スイッチング素子７１、７４をオンにし、第２及び第３高周波スイッチング素子７２、７３をオフにすると、第１高周波スイッチング素子７１を通して第１入力端５３１  と第１出力端５４１  との間、及び、第４高周波スイッチング素子７４を通して第２入力端５３２  と第２出力端５４２  との間にそれぞれ信号伝送経路が形成される。
【００１６】
また、スイッチング制御部７９の制御により、第２及び第３高周波スイッチング素子７２、７３をオンにし、第１及び第４高周波スイッチング素子７１、７４をオフにすると、第２スイッチングダイオード７２を通して第１入力端５３１  と第２出力端５４２  の間、及び、第３高周波スイッチング素子７３を通して第２入力端５３２  と第１出力端５４１  の間にそれぞれ信号伝送経路が形成される。
【００１７】
さらに、スイッチング制御部７９の制御により、第２及び第４高周波スイッチング素子７２、７４をオンにし、第１及び第３高周波スイッチング素子７１、７３がオフにすると、第２高周波スイッチング素子７２を通して第１入力端５３１  と第２出力端５４２  の間、及び、第４高周波スイッチング素子７４を通して第２入力端５３２  と第２出力端５４２  の間にそれぞれ信号伝送経路が形成される。
【００１８】
また、スイッチング制御部７９の制御により、第１及び第３高周波スイッチング素子７１、７３をオンにし、第２及び第４高周波スイッチング素子７２、７４をオフにすると、第１高周波スイッチング素子７１を通して第１入力端５３１  と第１出力端５４１  の間、及び、第３高周波スイッチング素子７３を通して第２入力端５３２  と第１出力端５４１  の間にそれぞれ信号伝送経路が形成される。
【００１９】
このように、スイッチング制御部７９の制御により、第１乃至第４高周波スイッチング素子７１乃至７４を適宜オン、オフに設定すれば、第１入力端５３１  及び／または第２入力端５３２  と、第１出力端５４１  及び／または第２出力端５４２  との間に信号伝送経路を形成したり、形成しないようにすることができる。
【００２０】
【発明が解決しようとする課題】
前記既知の信号切替回路５５は、第１入力端５３１  に２個の抵抗６１１  、６１２  からなる第１分配器６１が接続され、第２入力端５３２  に２個の抵抗６２１  、６２２  からなる第２分配器６２が接続されているため、例えば、第１及び第２高周波スイッチング素子７１、７２がオンしているとき、第２高周波スイッチング素子７２だけをオフに切替えた場合、第１分配器６１における抵抗６１２  側の出力インピーダンスが変動するため、オンしている高周波スイッチング素子７１を含む信号伝送経路の信号損失が変動し、第１出力端５４１  から出力される第１中間周波信号レベルが一時的に変動することがある。同様に、第１及び第２高周波スイッチング素子７１、７２がオンしているとき、第１高周波スイッチング素子７１だけをオフに切替えた場合も、オンしている高周波スイッチング素子７２を含む信号伝送経路の信号損失が変動し、第２出力端５４２  から出力される第１中間周波信号レベルが一時的に変動することがある。このような中間周波信号レベルの一時的変動は、第２入力端５３２  側においても、第１及び第２高周波スイッチング素子７１、７２の場合と同じように、第３及び第４高周波スイッチング素子７３、７４をオンオフすれば、同じような変動が生じる。
【００２１】
この場合、第１または第２中間周波信号レベルの一時的な変動は、その変動幅が極めて僅かであれば、特に支障を生じることはないが、その変動幅が０．５ｄＢを超えると、衛星放送受信用屋外コンバータの受信仕様を満たさなくなり、何等かの対策を施すことが必要になる。
【００２２】
そこで、前記既知の信号切替回路５５においては、第１または第２中間周波信号レベルの一時的な変動の発生を回避する対策として、第１分配器６１及び第２分配器６２の各出力側に、それぞれ３個の抵抗６３１  乃至６３３  、６４１  乃至６４３  、６５１  乃至６５３  、６６１  乃至６６３  からなる第１乃至第４抵抗減衰器６３乃至６６を接続し、第１乃至第４高周波スイッチング素子７１乃至７４のオンオフに伴う第１分配器６１及び第２分配器６２の出力インピーダンスの変動を抑圧し、第１または第２中間周波信号レベルの一時的な変動の発生を回避するようにしている。
【００２３】
しかるに、前記既知の信号切替回路５５は、第１乃至第４抵抗減衰器６３乃至６６を接続したことにより、第１または第２中間周波信号レベルの一時的な変動の発生を回避することができるものの、第１乃至第４抵抗減衰器６３乃至６６を接続したことにより、そこで１０ｄＢ程度の信号損失が生じ、その信号損失分を補うための信号増幅手段を新たに設ける必要が生じる。この場合、新たな信号増幅手段は、例えば、第１出力端５４１  及び第２出力端５４２  の各直前に挿入接続され、スイッチング制御部７９の制御により、第１乃至第４高周波スイッチング素子７１乃至７４のオンオフに伴ってその信号利得を適宜選択している。
【００２４】
このように、前記既知の信号切替回路５５は、第１乃至第４抵抗減衰器６３乃至６６や新たな信号増幅手段を接続する必要があるため、使用部品点数が大幅に増えて、全体の構成が複雑になるとともに消費電力が増大し、製造コストが上昇するようになる。
【００２５】
本発明は、このような技術的背景に鑑みてなされたもので、その目的は、高周波スイッチング素子のオンオフに伴う中間周波信号レベルの一時的な変動を回避するために、使用部品点数を大幅に増やさず、複雑な構成にすることなく、かつ、電力消費の増大や製造コストの上昇を抑えることを可能にした信号切替回路を提供することにある。
【００２６】
【課題を解決するための手段】
前記目的を達成するために、本発明による信号切替回路は、第１入力信号が入力される第１入力端子と、第２入力信号が入力される第２入力端子と、第１出力信号を出力する第１出力端子と、第２出力信号を出力する第２出力端子と、入力端が第１入力端子に接続され、第１及び第２出力端から第１入力信号が分配出力される第１抵抗分配器と、入力端が第２入力端子に接続され、第１及び第２出力端から第２入力信号が分配出力される第２抵抗分配器と、第１抵抗分配器の第１出力端と第１出力端子間、その第２出力端と第２出力端子間、第２抵抗分配器の第２出力端と第１出力端子間、その第２出力端と第２出力端子間にそれぞれ接続される第１乃至第４高周波スイッチング素子と、第１抵抗分配器の第１及び第２出力端と接地間及び第２抵抗分配器の第１及び第２出力端と接地間にそれぞれ接続され、第５乃至第８高周波スイッチング素子によって整合抵抗の接続非接続が選択される整合回路と、第１乃至第８高周波スイッチング素子を選択的にオンオフするスイッチング制御部とを備え、オンになった高周波スイッチング素子を通して第１入力信号または第２入力信号が第１出力端子及び／または第２出力端子にそれぞれ第１出力信号及び／または第２出力信号として供給される手段を具備する。
【００２７】
前記手段によれば、スイッチング制御部の制御により第１乃至第４高周波スイッチング素子を選択的にオンオフすることにより、第１入力端子の第１入力信号を第１出力端子及び第２出力端子に伝送したり、第２入力端子の第２入力信号を第１出力端子及び第２出力端子に伝送したり、第１入力端子の第１入力信号及び第２入力端子の第２入力信号のそれぞれを、第１出力端子及び第２出力端子に伝送したり、第２出力端子及び第１出力端子に伝送したりすることができる。この場合、第１抵抗分配器の各出力端と第１及び第２高周波スイッチング素子の間、第２抵抗分配器の各出力端と第３及び第４高周波スイッチング素子の間にそれぞれ抵抗減衰器を接続せず、その代わりに整合抵抗と第５乃至第８高周波スイッチング素子を直列接続した整合回路を接続し、第５乃至第８高周波スイッチング素子を選択的にオンオフして整合抵抗を選択的に接続するようにしたので、抵抗減衰器の接続による第１及び第２入力信号（中間周波信号）レベルの減衰がないばかりか、第５乃至第８高周波スイッチング素子のオンオフに伴う整合抵抗の選択的な接続によってインピーダンス整合が達成できる。
【００２８】
このように、前記手段によれば、第１乃至第４高周波スイッチング素子のオンオフに伴う入力信号（中間周波信号）レベルの一時的な変動の回避を、使用部品点数を大幅に増やさず、複雑な構成にすることなく、かつ、電力消費の増大や製造コストの上昇を抑えた状態で達成することが可能になる。
【００２９】
また、前記手段におけるスイッチング制御部は、第１乃至第４高周波スイッチング素子をオンに設定したとき、オンになった第１乃至第４高周波スイッチング素子に対応接続された第５乃至第８高周波スイッチング素子をオフに設定し、第１乃至第４高周波スイッチング素子をオフに設定したとき、オフになった第１乃至第４高周波スイッチング素子に対応接続された第５乃至第８高周波スイッチング素子をオンに設定している。
【００３０】
このような構成にすれば、第１乃至第４高周波スイッチング素子のいずれかがオンになったとき、オンになった高周波スイッチング素子に対応した第５乃至第８高周波スイッチング素子がオフになるので、そのとき整合抵抗が接続されずにインピーダンス整合状態が保持され、一方、第１乃至第４高周波スイッチング素子のいずれかがオフになったとき、オフになった高周波スイッチング素子に対応した第５乃至第８高周波スイッチング素子のいずれかがオンになるので、そのときに整合抵抗が接続されて前と同じインピーダンス整合状態に保持されるので、第１乃至第４高周波スイッチング素子のオンオフに係わりなく、常時インピーダンス整合状態が保持され、第１乃至第４高周波スイッチング素子のオンオフに伴う入力信号（中間周波信号）レベルの一時的な変動を回避できる。
【００３１】
さらに、前記手段におけるスイッチング制御部は、第１乃至第８高周波スイッチング素子をオンオフする際に、第１高周波スイッチング素子と第６高周波スイッチング素子とを第１制御回路により同時にオンオフし、第２高周波スイッチング素子と第５高周波スイッチング素子とを第２制御回路により同時にオンオフし、第３高周波スイッチング素子と第８高周波スイッチング素子とを第３制御回路により同時にオンオフし、第４高周波スイッチング素子と第７高周波スイッチング素子とを第４制御回路により同時にオンオフしている。
【００３２】
このような構成にすれば、スイッチング制御部の制御により、第１乃至第８高周波スイッチング素子をオンオフする際に、オンオフする高周波スイッチング素子が８つ存在するにも係わらず、スイッチング制御部から４つの制御端と１つの接地端を導出し、それらの制御端と接地端にそれぞれ制御線を接続すれば足りるので、使用される制御線の総数を大幅に減らすことができる。
【００３３】
【発明の実施の形態】
以下、本発明の実施の形態を図面を参照して説明する。
【００３４】
図１は、本発明による信号切替回路の１つの実施の形態に係わるもので、その具体的構成を示す回路図である。
【００３５】
図１に示されるように、この実施の形態による信号切替回路１は、第１入力端子２１  と、第２入力端子２２  と、第１出力端子３１  と、第２出力端子３２  と、第１抵抗分配器４と、第２抵抗分配器５と、第１乃至第４結合コンデンサ６乃至９と、第１乃至第４整合回路１０乃至１３と、第５乃至第８結合コンデンサ１４乃至１７と、第１乃至第４ＰＩＮダイオード（高周波スイッチング素子）１８乃至２１と、第９乃至第１２結合コンデンサ２２乃至２５と、スイッチング制御部２６とからなっている。
【００３６】
この場合、第１抵抗分配器４は、２個の抵抗４１  、４２  を備え、抵抗４１  、４２  の接続点が入力端を、各抵抗４１  、４２  の他端が第１出力端及び第２出力端を構成している。第２分配器５は、２個の抵抗５１  、５２  を備え、抵抗５１  、５２  の接続点が入力端を、各抵抗５１  、５２  の他端が第１出力端及び第２出力端を構成している。第１整合回路１０は、直列接続された整合抵抗１０１  と第５ＰＩＮダイオード１０２  からなり、第２整合回路１１は、直列接続された整合抵抗１１１  と第６ＰＩＮダイオード１１２  からなり、第３整合回路１２は、直列接続された整合抵抗１２１  と第７ＰＩＮダイオード１２２  からなり、第４整合回路１３は、直列接続された整合抵抗１３１  と第８ＰＩＮダイオード１３２  からなる。また、スイッチング制御部２６は、１２の制御端２６１  乃至２６１２と１つの接地端２６１３が導出されている。
【００３７】
そして、第１抵抗分配器４は、入力端が第１入力端子２１  に接続され、第１出力端が第１結合コンデンサ６の一端に、第２出力端が第２結合コンデンサ７の一端にそれぞれ接続される。第２分配器５は、入力端が第２入力端子２２  に接続され、第１出力端が第３結合コンデンサ８の一端に、第２出力端が第４結合コンデンサ９の一端にそれぞれ接続される。第１整合回路１０は、一端が第１結合コンデンサ６の他端と第５結合コンデンサ１４の一端とスイッチング制御部２６の制御端２６１  にそれぞれ接続され、他端が接地接続される。第２整合回路１１は、一端が第２結合コンデンサ７の他端と第６結合コンデンサ１５の一端とスイッチング制御部２６の制御端２６２  にそれぞれ接続され、他端が接地接続される。第３整合回路１２は、一端が第３結合コンデンサ８の他端と第７結合コンデンサ１６の一端とスイッチング制御部２６の制御端２６３  にそれぞれ接続され、他端が接地接続される。第４整合回路１３は、一端が第４結合コンデンサ９の他端と第８結合コンデンサ１７の一端とスイッチング制御部２６の制御端２６４  にそれぞれ接続され、他端が接地接続される。
【００３８】
第１ＰＩＮダイオード１８は、アノードが第５結合コンデンサ１４の他端とスイッチング制御部２６の制御端２６５  にそれぞれ接続され、カソードが第９結合コンデンサ２２の一端とスイッチング制御部２６の制御端２６６  にそれぞれ接続される。第２ＰＩＮダイオード１９は、アノードが第６結合コンデンサ１５の他端とスイッチング制御部２６の制御端２６７  にそれぞれ接続され、カソードが第１０結合コンデンサ２３の一端とスイッチング制御部２６の制御端２６８  にそれぞれ接続される。第３ＰＩＮダイオード２０は、アノードが第７結合コンデンサ１６の他端とスイッチング制御部２６の制御端２６９  にそれぞれ接続され、カソードが第１１結合コンデンサ２４の一端とスイッチング制御部２６の制御端２６１１にそれぞれ接続される。第４ＰＩＮダイオード１９は、アノードが第８結合コンデンサ１７の他端とスイッチング制御部２６の制御端２６１０にそれぞれ接続され、カソードが第１２結合コンデンサ２５の一端とスイッチング制御部２６の制御端２６１２にそれぞれ接続される。
【００３９】
さらに、第９結合コンデンサ２２は、他端が第１出力端子３１  に接続され、第１０結合コンデンサ２３は、他端が第２出力端子３２  に接続される。第１１結合コンデンサ２４は、他端が第１出力端子３１  に接続され、第１２結合コンデンサ２５は、他端が第２出力端子３２  に接続される。スイッチング制御部２６は、制御端２６１３が接地接続される。
【００４０】
前記構成によるこの実施の形態の信号切替回路は、次のように動作する。
【００４１】
第１ＰＩＮダイオード１８をオンするには、制御端２６５  、２６７  の間で、制御端２６５  側が正のスイッチング電圧を発生すればよく、第１ＰＩＮダイオード１８をオフするには、制御端２６５  、２６７  の間の電圧が等しいスイッチング電圧を発生すればよい。一方、第５ＰＩＮダイオード１０２  をオンするには、制御端２６１  に正のスイッチング電圧を発生すればよく、第５ＰＩＮダイオード１０２  をオフするには、制御端２６１  に接地電圧に等しいスイッチング電圧を発生すればよい。また、他の第２乃至第４ＰＩＮダイオード１９乃至２１をオンオフするには、対応する制御端２６６  、２６８  の間、制御端２６９  、２６１１の間、制御端２６１０、２６１２の間の電圧をそれぞれ制御端２６５  、２６７  の間の電圧と同じにすればよく、他の第６乃至第８ＰＩＮダイオード１１２  乃至１３２  をオンオフするには、対応する制御端２６２  乃至２６４  の電圧を制御端２６１  の電圧と同じにすればよい。
【００４２】
ここで、スイッチング制御部２６の制御により、第１及び第４ＰＩＮダイオード１８、２１をオンにし、第２及び第３ＰＩＮダイオード１９、２０をオフにすると、第１ＰＩＮダイオード１８を通して第１入力端２１  と第１出力端３１  の間、及び、第４ＰＩＮダイオード２１を通して第２入力端２２  と第２出力端３２  の間にそれぞれ信号伝送経路が形成され、第１入力端２１  に供給された第１入力信号は、抵抗４１  、第１結合コンデンサ６、第５結合コンデンサ１４、オンしている第１ＰＩＮダイオード１８、第９結合コンデンサ２２を通して第１出力端３１  に伝送され、同時に、第２入力端２２  に供給された第２入力信号は、抵抗５２  、第４結合コンデンサ９、第８結合コンデンサ１７、オンしている第４ＰＩＮダイオード２１、第１２結合コンデンサ２５を通して第２出力端３２  に伝送される。
【００４３】
この時点に、スイッチング制御部２６の制御により、第５及び第８ＰＩＮダイオード１０２  、１３２  をオフにし、第６及び第７ＰＩＮダイオード１１２  、１２２  をオンにすると、第１及び第４整合回路１０、１３の整合抵抗１０１  、１３１  が対応する信号伝送経路に接続されず、第２及び第３整合回路１１、１２の整合抵抗１１１  、１２１  が対応する信号伝送経路に接続される。かかる制御により、第２及び第３ＰＩＮダイオード１９、２０をオフに変更しても、第１抵抗分配器４の第２出力端及び第２抵抗分配器５の第１出力端にそれぞれ整合抵抗１１１  、１２１  が接続されるので、変更時において、第１抵抗分配器４の第１出力端及び第２抵抗分配器５の第２出力端の各出力インピーダンスの変化が極めて少なく、オンしている第１ＰＩＮダイオード１８を伝送する第１入力信号レベル及び第４ＰＩＮダイオード２１を伝送する第２入力信号レベルが変化することはない。
【００４４】
また、スイッチング制御部２６の制御により、第２及び第３ＰＩＮダイオード１９、２０をオンにし、第１及び第４ＰＩＮダイオード１８、２１をオフにすると、第２ＰＩＮダイオード１９を通して第１入力端２１  と第２出力端３２  の間、及び、第３ＰＩＮダイオード２０を通して第２入力端２２  と第１出力端３１  の間にそれぞれ信号伝送経路が形成され、第１入力端２１  に供給された第１入力信号は、抵抗４２  、第２結合コンデンサ７、第６結合コンデンサ１５、オンしている第２ＰＩＮダイオード１９、第１０結合コンデンサ２３を通して第２出力端３２  に伝送され、同時に、第２入力端２２  に供給された第２入力信号は、抵抗５１  、第３結合コンデンサ８、第７結合コンデンサ１６、オンしている第４ＰＩＮダイオード２０、第１１結合コンデンサ２４を通して第１出力端３１  に伝送される。
【００４５】
この時点に、スイッチング制御部２６の制御により、第６及び第７ＰＩＮダイオード１１２  、１２２  をオフにし、第５及び第８ＰＩＮダイオード１０２  、１３２  をオンにすると、第２及び第３整合回路１１、１２の整合抵抗１１１  、１２１  が対応する信号伝送経路に接続されず、第１及び第４整合回路１０、１３の整合抵抗１０１  、１３１  が対応する信号伝送経路に接続される。かかる制御により、第１及び第４ＰＩＮダイオード１８、２１をオフに変更しても、第１抵抗分配器４の第１出力端及び第２抵抗分配器５の第２出力端にそれぞれ整合抵抗１０１  、１３１  が接続されるので、変更時において、第１抵抗分配器４の第２出力端及び第２抵抗分配器５の第１出力端の各出力インピーダンスの変化が極めて少なくなり、第２ＰＩＮダイオード１９を伝送する第１入力信号レベル及び第３ＰＩＮダイオード２０を伝送する第２入力信号レベルが変化することはない。
【００４６】
さらに、スイッチング制御部２６の制御によって、第２及び第４ＰＩＮダイオード１９、２１をオンにし、第１及び第３ＰＩＮダイオード１８、２０をオフにすると、第２ＰＩＮダイオード１９を通して第１入力端２１  と第２出力端３２  の間、及び、第４ＰＩＮダイオード２１を通して第２入力端２２  と第２出力端３２  の間に信号伝送経路が形成される。
【００４７】
このとき、スイッチング制御部２６の制御により、第６及び第８ＰＩＮダイオード１１２  、１３２  をオフにし、第５及び第７ＰＩＮダイオード１０２  、１２２  をオンにすると、第２及び第４整合回路１１、１３の整合抵抗１１１  、１３１  が対応する信号伝送経路に接続されず、第１及び第３整合回路１０、１２の整合抵抗１０１  、１２１  が対応する信号伝送経路に接続される。かかる制御により、第１及び第３ＰＩＮダイオード１８、２０をオフに変更しても、第１抵抗分配器４の第１出力端及び第２抵抗分配器５の第１出力端にそれぞれ整合抵抗１０１  、１２１  が接続されるので、変更時における第１抵抗分配器４の第１出力端及び第２抵抗分配器５の第１出力端の各出力インピーダンスの変化が極めて少なくなり、第２ＰＩＮダイオード１９を伝送する第１入力信号レベル及び第３ＰＩＮダイオード２１を伝送する第２入力信号レベルが変化することはない。
【００４８】
同様に、スイッチング制御部２６の制御によって、第１及び第３ＰＩＮダイオード１８、２０をオンにし、第２及び第４ＰＩＮダイオード１９、２１をオフにすると、第１ＰＩＮダイオード１８を通して第１入力端２１  と第１出力端３１  の間、及び、第３ＰＩＮダイオード２０を通して第２入力端２２  と第１出力端３１  の間にそれぞれ信号伝送経路が形成される。
【００４９】
このとき、スイッチング制御部２６の制御により、第６及び第８ＰＩＮダイオード１１２  、１３２  をオフにし、第５及び第７ＰＩＮダイオード１０２  、１２２  をオンにすると、第２及び第４整合回路１１、１３の整合抵抗１１１  、１３１  が対応する信号伝送経路に接続されず、第１及び第３整合回路１０、１２の整合抵抗１０１  、１２１  が対応する信号伝送経路に接続される。かかる制御によって、第２及び第４ＰＩＮダイオード１９、２１をオフに変更しても、第１抵抗分配器４の第２出力端及び第２抵抗分配器５の第２出力端にそれぞれ整合抵抗１１１  、１３１  が接続されるので、変更時において、第１抵抗分配器４の第１出力端及び第２抵抗分配器５の第１出力端の各出力インピーダンスの変化が極めて少なくなり、第１ＰＩＮダイオード１９を伝送する第１入力信号レベル及び第３ＰＩＮダイオード２０を伝送する第２入力信号レベルが変化することはない。
【００５０】
このように、この実施の形態による信号切替回路１は、スイッチング制御部２６の制御により、第１乃至第４ＰＩＮダイオード１８乃至２１を適宜オン、オフするようにし、そのオン、オフに対応して第５乃至第８ＰＩＮダイオードを逆にオフ、オンすることにより、第１及び／または第２入力端２１  、２２  と、第１及び／または第２出力端３１  、３２  の間に適宜信号伝送経路を形成したり、形成しないようにするとともに、信号伝送経路を形成しない場合、その信号伝送経路に整合抵抗１０１  乃至１３１  を選択的に接続するようにしたので、いずれの接続状態に切替えても、その切替時に信号切替回路１を伝送する第１及び第２入力信号レベルが変動することはなくなり、しかも、既知の信号切替回路のように新たな信号増幅手段を別途設ける必要がないものである。
【００５１】
また、図２は、本発明による信号切替回路の他の実施の形態に係わるもので、その具体的構成を示す回路図であり、スイッチング制御部２６から導出する制御端の数を低減するようにしたものである。
【００５２】
図２に示されるように、他の実施の形態による信号切替回路（以下、これを第２例という）１と図１に図示の信号切替回路（以下、これを第１例という）１とを比べると、第１例は、第５乃至第８結合コンデンサ１４乃至１７を具備するのに対し、第２例は、第５乃至第８結合コンデンサ１４乃至１７を具備する代わりに第１乃至第８バイアス抵抗２７乃至３４と第１乃至第４バイパスコンデンサ３５乃至３８を具備し、また、第１例は、スイッチング制御部２６が１２の制御端２６１  乃至２６１２と１つの接地端２６１３を具備するのに対し、第２例は、４つの制御端２６１  乃至２６４  と１つの接地端２６５  を具備する点が異なっているだけで、それ以外の構成要素を具備する点については、第１例と第２例との間に変わりがない。なお、図２において図１に示された構成要素と同じ構成要素については同じ符号を付けている。
【００５３】
第２例において、第１バイアス抵抗２７は、一端が第１ＰＩＮダイオード１８のカソード、第１結合コンデンサ６の他端、第１整合回路１０の一端にそれぞれ接続され、他端が接地接続される。第２バイアス抵抗２８は、一端が第１ＰＩＮダイオード１８のカソード、第１結合コンデンサ６の他端、第１整合回路１０の一端にそれぞれ接続され、他端が第２整合回路１１の他端と第２バイパスコンデンサ３６の一端との接続点に接続される。第３バイアス抵抗２９は、一端が第２ＰＩＮダイオード１９のカソード、第２結合コンデンサ７の他端、第２整合回路１１の一端にそれぞれ接続され、他端が第１整合回路１０の他端と第１バイパスコンデンサ３５の一端との接続点に接続される。第４バイアス抵抗３０は、一端が第２ＰＩＮダイオード１９のカソード、第２結合コンデンサ７の他端、第２整合回路１１の一端にそれぞれ接続され、他端が接地接続される。
【００５４】
第５バイアス抵抗３１は、一端が第３ＰＩＮダイオード２０のカソード、第３結合コンデンサ８の他端、第３整合回路１２の一端にそれぞれ接続され、他端が接地接続される。第６バイアス抵抗３２は、一端が第３ＰＩＮダイオード２０のカソード、第３結合コンデンサ８の他端、第３整合回路１２の一端にそれぞれ接続され、他端が第４整合回路１３の他端と第４バイパスコンデンサ３８の一端との接続点に接続される。第７バイアス抵抗３３は、一端が第４ＰＩＮダイオード２１のカソード、第４結合コンデンサ９の他端、第４整合回路１３の一端にそれぞれ接続され、他端が第３整合回路１２の他端と第３バイパスコンデンサ３７の一端との接続点に接続される。第８バイアス抵抗３４は、一端が第４ＰＩＮダイオード２１のカソード、第４結合コンデンサ９の他端、第４整合回路１３の一端にそれぞれ接続され、他端が接地接続される。
【００５５】
また、第１乃至第４バイパスコンデンサ３５乃至３８は、それぞれ他端が接地接続される。第１ＰＩＮダイオード１８は、アノードがスイッチング制御部２６の制御端２６１  と第９結合コンデンサ２２の一端にそれぞれ接続され、第２ＰＩＮダイオード１９は、アノードがスイッチング制御部２６の制御端２６２  と第１０結合コンデンサ２３の一端にそれぞれ接続される。第３ＰＩＮダイオード２０は、アノードがスイッチング制御部２６の制御端２６３  と第１１結合コンデンサ２４の一端にそれぞれ接続され、第４ＰＩＮダイオード２１は、アノードがスイッチング制御部２６の制御端２６４  と第１２結合コンデンサ２５の一端にそれぞれ接続される。
【００５６】
前記構成による第２例の信号切替回路の動作は、次のとおりである。
【００５７】
第１ＰＩＮダイオード１８をオンするとき、スイッチング制御部２６の制御端２６１  に正のスイッチング電圧を発生させると、このスイッチング電圧は、第１ＰＩＮダイオード１８、第２バイアス抵抗２８、第６ＰＩＮダイオード１１２  、整合抵抗１１１  、第４バイアス抵抗３１を通って接地点に流れ、第１ＰＩＮダイオード１８及び第６ＰＩＮダイオード１１２  が同時にオンになる。一方、第１ＰＩＮダイオード１８をオフするとき、スイッチング制御部２６の制御端２６１  に接地電圧に等しいスイッチング電圧を発生させると、制御端２６１  から接地点に電流が流れなくなり、第１ＰＩＮダイオード１８及び第６ＰＩＮダイオード１１２  が同時にオフになる。また、第２乃至第４ＰＩＮダイオード１９乃至２１をオンオフするときも同様で、スイッチング制御部２６の対応する制御端２６２  乃至２６４  に正のスイッチング電圧または接地電圧を発生させると、それにより第２ＰＩＮダイオード１９及び第５ＰＩＮダイオード１０２  、第３ＰＩＮダイオード２０及び第８ＰＩＮダイオード１３２  、第４ＰＩＮダイオード２１及び第７ＰＩＮダイオード１２２  がそれぞれ同時にオンになったり、オフになったりする。
【００５８】
ここで、スイッチング制御部２６の制御により、第１及び第４ＰＩＮダイオード１８、２１をオンにし、第２及び第３ＰＩＮダイオード１９、２０をオフにすると、第１ＰＩＮダイオード１８を通して第１入力端２１  と第１出力端３１  の間、及び、第４ＰＩＮダイオード２１を通して第２入力端２２  と第２出力端３２  の間にそれぞれ信号伝送経路が形成され、第１入力端２１  に供給された第１入力信号は、抵抗４１  、第１結合コンデンサ６、オンしている第１ＰＩＮダイオード１８、第９結合コンデンサ２２を通して第１出力端３１  に伝送され、同時に、第２入力端２２  に供給された第２入力信号は、抵抗５２  、第４結合コンデンサ９、オンしている第４ＰＩＮダイオード２１、第１２結合コンデンサ２５を通して第２出力端３２  に伝送される。
【００５９】
このとき、第１及び第４ＰＩＮダイオード１８、２１のオンにより、第６及び第７ＰＩＮダイオード１１２  、１２２  が同時にオンになり、第２及び第３ＰＩＮダイオード１９、２０のオフにより、第５及び第８ＰＩＮダイオード１０２  、１３２  が同時にオフになる。これにより、整合抵抗１０１  、１３１  が対応する信号伝送経路に接続されず、整合抵抗１１１  、１２１  が対応する信号伝送経路に接続される。このような制御が行われると、第２及び第３ＰＩＮダイオード１９、２０をオフに変更しても、第１抵抗分配器４の第２出力端及び第２抵抗分配器５の第１出力端にそれぞれ整合抵抗１１１  、１２１  が接続されるので、変更時において、第１抵抗分配器４の第１出力端及び第２抵抗分配器５の第２出力端の各出力インピーダンスの変化が極めて少なく、第１ＰＩＮダイオード１８を伝送する第１入力信号レベル及び第４ＰＩＮダイオード２１を伝送する第２入力信号レベルが変化することがない。
【００６０】
また、スイッチング制御部２６の制御により、第２及び第３ＰＩＮダイオード１９、２０をオンにし、第１及び第４ＰＩＮダイオード１８、２１をオフにすると、第２ＰＩＮダイオード１９を通して第１入力端２１  と第２出力端３２  の間、及び、第３ＰＩＮダイオード２０を通して第２入力端２２  と第１出力端３１  の間にそれぞれ信号伝送経路が形成され、第１入力端２１  に供給された第１入力信号は、抵抗４２  、第２結合コンデンサ７、オンしている第２ＰＩＮダイオード１９、第１０結合コンデンサ２３を通して第２出力端３２  に伝送され、同時に、第２入力端２２  に供給された第２入力信号は、抵抗５１  、第３結合コンデンサ８、オンしている第４ＰＩＮダイオード２０、第１１結合コンデンサ２４を通して第１出力端３１  に伝送される。
【００６１】
このとき、第２及び第３ＰＩＮダイオード１９、２０のオンにより、第５及び第８ＰＩＮダイオード１０２  、１３２  が同時オンになり、第１及び第４ＰＩＮダイオード１８、２１のオフにより、第６及び第７ＰＩＮダイオード１１２  、１２２  が同時オフになる。これにより、整合抵抗１０１  、１３１  が対応する信号伝送経路に接続されず、整合抵抗１１１  、１２１  が対応する信号伝送経路に接続される。このような制御が行われると、第１及び第４ＰＩＮダイオード１８、２１をオフに変更しても、第１抵抗分配器４の第１出力端及び第２抵抗分配器５の第２出力端にそれぞれ整合抵抗１０１  、１３１  が接続されるので、変更時において、第１抵抗分配器４の第１出力端及び第２抵抗分配器５の第２出力端の各出力インピーダンスの変化が極めて少なく、オンしている第２ＰＩＮダイオード１９を伝送する第１入力信号レベル及び第３ＰＩＮダイオード２０を伝送する第２入力信号レベルが変化することがない。
【００６２】
さらに、スイッチング制御部２６の制御によって、第２及び第４ＰＩＮダイオード１９、２１をオンにし、第１及び第３ＰＩＮダイオード１８、２０をオフにすると、第２ＰＩＮダイオード１９を通して第１入力端２１  と第２出力端３２  の間、及び、第４ＰＩＮダイオード２１を通して第２入力端２２  と第２出力端３２  の間に信号伝送経路が形成される。
【００６３】
このとき、第２及び第４ＰＩＮダイオード１９、２１のオンにより、第５及び第７ＰＩＮダイオード１０２  、１２２  が同時オンになり、第１及び第３ＰＩＮダイオード１８、２０のオフにより、第６及び第８ＰＩＮダイオード１１２  、１３２  が同時オフになる。これにより、整合抵抗１１１  、１３１  が対応する信号伝送経路に接続されず、整合抵抗１０１  、１２１  が対応する信号伝送経路に接続される。このような制御が行われると、第１及び第３ＰＩＮダイオード１８、２０をオフに変更しても、第１抵抗分配器４の第１出力端及び第２抵抗分配器５の第１出力端にそれぞれ整合抵抗１０１  、１２１  が接続されるので、変更時において、第１抵抗分配器４の第２出力端及び第２抵抗分配器５の第２出力端の各出力インピーダンスの変化が極めて少なく、オンしている第２ＰＩＮダイオード１９を伝送する第１入力信号レベル及び第４ＰＩＮダイオード２１を伝送する第２入力信号レベルが変化することがない。
【００６４】
同様に、スイッチング制御部２６の制御によって、第１及び第３ＰＩＮダイオード１８、２０をオンにし、第２及び第４ＰＩＮダイオード１９、２１をオフにすると、第１ＰＩＮダイオード１８を通して第１入力端２１  と第１出力端３１  の間、及び、第３ＰＩＮダイオード２０を通して第２入力端２２  と第１出力端３１  の間にそれぞれ信号伝送経路が形成される。
【００６５】
このとき、第１及び第３ＰＩＮダイオード１８、２０のオンにより、第６及び第８ＰＩＮダイオード１１２  、１３２  が同時オフになり、第２及び第４ＰＩＮダイオード１９、２１のオフにより、第５及び第７ＰＩＮダイオード１０２  、１２２  が同時オンになる。これにより、整合抵抗１０１  、１２１  が対応する信号伝送経路に接続されず、整合抵抗１１１  、１３１  が対応する信号伝送経路に接続される。かかる制御によって、第２及び第４ＰＩＮダイオード１９、２１をオフに変更しても、第１抵抗分配器４の第２出力端及び第２抵抗分配器５の第２出力端にそれぞれ整合抵抗１１１  、１３１  が接続されるので、変更時において、第１抵抗分配器４の第１出力端及び第２抵抗分配器５の第１出力端の各出力インピーダンスの変化が極めて少なくなり、第１ＰＩＮダイオード１９を伝送する第１入力信号レベル及び第３ＰＩＮダイオード２０を伝送する第２入力信号レベルが変化することがない。
【００６６】
このように、第２例の信号切替回路１は、スイッチング制御部２６の制御により、第１乃至第４ＰＩＮダイオード１８乃至２１を適宜オン、オフするようにし、そのオン、オフと同時に第５乃至第８ＰＩＮダイオードを逆にオフ、オンするようにしているもので、第１及び／または第２入力端２１  、２２  と、第１及び／または第２出力端３１  、３２  の間に適宜信号伝送経路を形成したり、形成しないようにするとともに、信号伝送経路を形成しない場合にその信号伝送経路に整合抵抗１０１  乃至１３１  を選択的に接続するようにしたので、いずれの接続状態に切替えたとしても、その切替時に信号切替回路１を伝送する第１及び第２入力信号レベルが変動することがなく、しかも、既知の信号切替回路のように新たな信号増幅手段を別途設ける必要がないものである。
【００６７】
また、第２例の信号切替回路１は、スイッチング制御部２６の制御系統が第１乃至第４ＰＩＮダイオード１８乃至２１と第５乃至第８ＰＩＮダイオードとを同時にオンオフするような構成になっているので、スイッチング制御部２６から導出する制御端の数が少なくなり、制御線の総数を減らすことが可能になる。
【００６８】
この場合、前記各実施の形態においては、高周波スイッチング素子にＰＩＮダイオードを用いている例を挙げて説明したが、本発明による高周波スイッチング素子は、ＰＩＮダイオードに限られるものではなく、高周波スイッチング特性が良好なものであれば、他のスイッチング素子であってもよいことは勿論である。
【００６９】
また、前記各実施の形態においては、第１入力信号及び第２入力信号が受信した衛星放送信号における左旋回の円偏波信号及び右信号旋回の円偏波信号であってもよく、水平偏波信号及び垂直偏波信号であってもよい。
【００７０】
さらに、前記各実施の形態においては、信号切替回路を衛星放送受信用屋外コンバータに用いている例を挙げて説明したが、本発明による信号切替回路が衛星放送受信用屋外コンバータに使用するものに限定されるものでなく、衛星放送受信用屋外コンバータに類似した特性を有する他の放送機器や無線機器に用いてもよいことは勿論である。
【００７１】
【発明の効果】
以上のように、請求項１に記載の発明によれば、スイッチング制御部の制御により第１乃至第４高周波スイッチング素子を選択的にオンオフし、第１入力端子の第１入力信号を第１出力端子及び第２出力端子に伝送したり、第２入力端子の第２入力信号を第１出力端子及び第２出力端子に伝送したり、第１入力端子の第１入力信号及び第２入力端子の第２入力信号のそれぞれを、第１出力端子及び第２出力端子に伝送したり、第２出力端子及び第１出力端子に伝送したりすることができるもので、第１抵抗分配器の各出力端と第１及び第２高周波スイッチング素子の間に整合抵抗と第５乃至第８高周波スイッチング素子を直列接続した整合回路を接続し、第５乃至第８高周波スイッチング素子を選択的にオンオフして整合抵抗を選択的に接続しているので、第１及び第２入力信号（中間周波信号）レベルが減衰しないばかりか、第５乃至第８高周波スイッチング素子のオンオフに伴う整合抵抗の選択的な接続によってインピーダンス整合を達成でき、その結果、第１乃至第４高周波スイッチング素子のオンオフに伴う入力信号（中間周波信号）レベルの一時的な変動の回避を、使用部品点数を大幅に増やさず、複雑な構成にすることなく、かつ、電力消費の増大や製造コストの上昇を抑えた状態にして達成が可能であるという効果がある。
【００７２】
また、請求項２に記載の発明によれば、請求項１で得られる効果に加え、スイッチング制御部から４つの制御端と１つの接地端を導出し、それらの制御端と接地端にそれぞれ制御線を接続する構成にすることができるので、使用される制御線の総数を大幅に減らすことができるという効果もある。
【図面の簡単な説明】
【図１】本発明による信号切替回路の１つの実施の形態に係わるもので、その具体的構成を示す回路図である。
【図２】本発明による信号切替回路の他の実施の形態に係わるもので、その具体的構成を示す回路図である。
【図３】既知の衛星放送受信用屋外コンバータにおける主要構成部分を示すブロック図である。
【図４】既知の衛星放送受信用屋外コンバータに用いられる信号切替回路５５の具体的構成の一例を示す回路図である。
【符号の説明】
１  信号切替回路
２１    第１入力端子
２２    第２入力端子
３１    第１出力端子
３２    第２出力端子
４  第１抵抗分配器
５  第２抵抗分配器
６〜９  第１〜第４結合コンデンサ
１０〜１３  第１〜第４整合回路
１０１  〜１３１    第５〜第８ＰＩＮダイオード（高周波スイッチング素子）
１０２  〜１３２    整合抵抗
１４〜１７  第５〜第８結合コンデンサ
１８〜２１  第１〜第４ＰＩＮダイオード（高周波スイッチング素子）
２２〜２５  第９〜第１２結合コンデンサ
２６  スイッチング制御部
２７〜３４  第１〜第８バイアス抵抗
３５〜３８  第１〜第４バイパスコンデンサ
【図１】
2004289415.tif 000003
【図２】
2004289415.tif 000004
【図３】
2004289415.tif 000005
【図４】
2004289415.tif 000006